(57)【要約】【課題】様々なＣＡＤソフトウェアを使用して作成されたＣＡＤ図面に対して、図面に描画されている文字、数字、図形、形状などを解析して、それをデータ化して出力可能なＣＡＤ情報変換システム等を提供することである。【解決手段】情報変換を行うＣＡＤ図面１４を読み出すＣＡＤ図面読み出し部４と、ＣＡＤ図面１４に表示された部材リストの部材の材種やサイズ等を解析する部材リスト解析部６と、材種とサイズ等をデータ化して第１のデータベース１６に出力する部材マスタ情報作成部７と、ＣＡＤ図面１４に表示されたＣＡＤ図形の中から任意の部材図形の符号を指定して選択する部材図形選択部８と、選択された部材図形の配置を解析する部材図形解析部１０と、配置をデータ化して第２のデータベース１７に出力する配置データ情報作成部１１を備える。【選択図】  図１
2004185241.tif 000002
【特許請求の範囲】
【請求項１】
情報変換を行うＣＡＤ図面を読み出すＣＡＤ図面読み出し部と、このＣＡＤ図面読み出し部で読み出されたＣＡＤ図面に表示された部材リストに記載されている部材の材種とサイズと前記ＣＡＤ図面中で使用されている前記部材の符号名を解析する部材リスト解析部と、前記材種とサイズと符号名とをデータ化して第１のデータベースに出力する部材マスタ情報作成部と、前記ＣＡＤ図面読み出し部で読み出されたＣＡＤ図面に表示されたＣＡＤ図形の中から任意の部材図形の符号を選択する部材図形選択部と、この部材図形選択部で選択された部材図形の符号に合致する前記部材図形を検索し配置を解析する部材図形解析部と、前記配置をデータ化して第２のデータベースに出力する配置データ情報部作成部を備えることを特徴とするＣＡＤ情報変換システム。
【請求項２】
前記部材リスト解析部は、前記部材リストの枠を検出する部材リスト枠検出部と、この枠の中に記載されている材種とサイズの文字を検出して前記材種とサイズを認識する材種−サイズ解析部と、前記部材リストの枠の中に記載されている前記部材の符号を検出して前記符号を認識する符号名解析部とを有することを特徴とする請求項１記載のＣＡＤ情報交換システム。
【請求項３】
前記部材図形解析部は、前記部材図形選択部で選択された部材図形の符号を前記第１のデータベース内で検索し合致した符号の部材サイズを前記選択された部材図形の部材サイズとして検出する部材サイズ検出部と、この部材サイズ検出部で検出された前記部材サイズを備える部材図形の部材線を検出する部材線検出部とを有することを特徴とする請求項１又は２記載のＣＡＤ情報交換システム。
【請求項４】
情報変換を行うＣＡＤ図面を選択するＣＡＤ図面選択工程と、このＣＡＤ図面に表示された部材リストに記載されている部材の材種とサイズと前記ＣＡＤ図面中で使用されている前記部材の符号名を解析する部材リスト解析工程と、前記材種とサイズと符号名とをデータ化して第１のデータベースに出力する部材マスタ情報作成工程と、前記ＣＡＤ図面に表示された部材図形の任意の符号を選択する部材図形選択工程と、この選択された部材図形の符号に合致する前記部材図形を検索し配置を解析する部材図形解析工程と、前記配置をデータ化して第２のデータベースに出力する配置データ情報部作成工程とを備えることを特徴とするＣＡＤ情報変換方法。
【請求項５】
情報変換を行うＣＡＤ図面を選択するＣＡＤ図面選択工程と、このＣＡＤ図面に表示された部材リストに記載されている部材の材種とサイズと前記ＣＡＤ図面中で使用されている前記部材の符号名を解析する部材リスト解析工程と、前記材種とサイズと符号名とをデータ化して第１のデータベースに出力する部材マスタ情報作成工程と、前記ＣＡＤ図面に表示された部材図形の任意の符号を選択する部材図形選択工程と、この選択された部材図形の符号に合致する前記部材図形を検索し配置を解析する部材図形解析工程と、前記配置をデータ化して第２のデータベースに出力する配置データ情報部作成工程とをコンピュータに実行させることを特徴とするＣＡＤ情報変換プログラム。
【発明の詳細な説明】
【０００１】
【発明の属する技術分野】
本発明は、ＣＡＤ図面上に表示された部材に関する情報を変換するシステム等に係わり、特に、ＣＡＤ図面上の文字あるいは図形を認識してそれをデジタルデータとして任意のデータベースに出力可能なＣＡＤ情報変換システムとその方法とそのプログラムに関する。
【０００２】
【従来の技術】
一般に、建築・建設業あるいは鉄構業等を営む企業においては、建造物の受注から資材調達、工務管理、設計、施工等あらゆる工程においてＣＡＤ（ＣｏｍｐｕｔｅｒＡｉｄｅｄ  Ｄｅｓｉｇｎ）の利用が欠かせなくなってきている。従って、従来設計情報は図面という形で伝達されてきたが、近年ではＣＡＤファイルという電子情報の形で伝達されるようになってきた。
このようなＣＡＤ図面の情報を例えば設計工程から施工工程で利用するには、ＣＡＤ図面の単に線分、円、円弧、文字のような図形を構成する情報だけでなく、部材の種類、寸法、符号、そして、部材の配置、その他の情報が施工工程で使用されるＣＡＤあるいはその他のソフトウェアで扱える形、すなわち文字・数値情報そして関連情報として存在しなければ、図形の要素としてのみ認識されていても処理が不可能であった。
【０００３】従って、図形要素だけのＣＡＤ図面の場合には、それ以後の処理は人間が画面あるいは紙に出力されたものを見ながら、図面上の図形と文字から必要な情報を手入力で行っていた。これでは多大の時間と労力が必要で、しかも入力ミスが生じたり、これを防ぐためのチェック作業も必要であるため時間、労力、費用など大きな課題を有していた。
このような課題は、既に認識されておりＣＡＤ図面だけでなく、次の工程に必要な各種のデータを伝達できるようなソフトウェアなども開発されている。
【０００４】例えば、特許文献１には、設計図作成用のＣＡＤソフトを内蔵するパソコンと独自のデータベースとの組合せからなり、建築設備分野の上流にあたる設計図面から下流となる施工図、竣工図、見積書等の作成を支援する設備データベースＣＡＤシステムであって、パソコンから独自のＤＢの機器・器具情報を関連付けして、設計図から機器・器具の配置情報、資機材の数量情報、設備関連情報のいずれか一つまたは複数を独自のＤＢに出力し、図面用、スペック用、見積用、施工用データのいずれか１つまたは複数のデータを取り出すことを特徴とする設備データベースＣＡＤシステムが開示されている。
【０００５】この発明は、予め与えられている独自のデータベースに設計図や施工図等に使用される機器や器具の仕様等の情報を格納しておき、ＣＡＤソフトによって独自のデータベースを参照して各図面あるいは見積書等を作成するものである。このように共通の独自のデータベースを利用することによって、情報を横断的に活用することができ作業の省力化あるいは生産性の向上を図ることができる。
【０００６】また、特許文献２には「２次元ＣＡＤインターフェースを利用した物量割出しシステムとその方法」として各種の建築、土木、機械及び設備に対する設計項目をＣＡＤ図によって作成するためのＣＡＤシステムを搭載されたコンピュータ端末において、位置データと設計仕様及び形状データを含むプロジェクト情報を格納されているプロジェクト情報格納手段と、資材情報及び単価情報が格納されている資材／単価格納手段及びプロジェクト情報と資材情報及び単価情報を参照して、位置情報と形状情報及び資材情報を分析することによって、全体的なオブジェクトの物量及び単価を割出すための物量割出し処理手段を備える発明が開示されている。この発明では、ＣＡＤ図面を分析してオブジェクトの全体的な物量及び単価を自動的に割出すことが可能である。
【０００７】さらに、特許文献３には、建築間取り図を表す平面図に施工に必要な情報を付加した給水栓機器と属性情報を付加した配管部材を配置して配管図を作成する手段と、配管図から各情報を検索して施工順に集計する手段を備える配管ＣＡＤシステムが開示されている。この配管ＣＡＤシステムによれば、配管図を効率よく作成することができ、配管設計から配管施工までを短期間で能率よく行うことができる。
【０００８】
【特許文献１】
特開２００２−４１５９７号公報
【特許文献２】
特開２００１−３５７０７５号公報
【特許文献３】
特開２００１−２５６２６９号公報
【０００９】
【発明が解決しようとする課題】
しかしながら、ＣＡＤのソフトウェアを開発する企業は数多く、これらのソフトウェアハウス間で、ソフトウェアの互換性があるものもある一方、互換性がないため発注側と受注側の企業でＣＡＤ図面の不整合を生じることも多い。しかも、ＣＡＤ図面の不整合が生じなくても、ＣＡＤ図面に描かれた図面の文字・数字情報あるいは図形・形状情報は、単に文字、数字あるいは図形としてのみ認識されるものであって、それ自体がどのような意味あるいは量などの情報を持つものであるかということまでは認識されていない。従って、ＣＡＤ図面に描かれているこれらの情報をそのままデータとして上流側の例えば設計図面から下流側の例えば施工図へ利用することはできないという課題があった。
【００１０】特許文献１に開示される発明においても、共通の独自のデータベースを利用するため、様々なＣＡＤのソフトウェアで作成されたＣＡＤ図面のそれぞれにおいて、対応できないという課題があった。
【００１１】また、特許文献２に開示される発明においても、ＣＡＤ図面は様々なソフトウェアで作成されたものに対応可能と考えられるものの、ＣＡＤ図面に対する設計プロジェクト情報が予め設計プロジェクト情報データベースに格納されており、ＣＡＤ図面を分析する際には、この設計プロジェクト情報データベースから位置情報と形状情報を参照して（第００３３欄）分析している。すなわち、各設計プロジェクトにおいては、予め材料はその物量や位置などがデータとしてデータベースに格納されている状態からＣＡＤ図面を分析して、それぞれの室別に室名と室番号コードを付与して自動整理するものである（第００２９欄）。ＣＡＤ図面に記載されている文字・数字、図形情報のみから分析することができないという課題があった。
【００１２】さらに、特許文献３に記載された発明においては、配管ＣＡＤ装置に接続されるデータベースとして予め収まり図データベース、標準ヘッダーデータベース、設定ヘッダーデータベース、配管部材データベース、集計データベースなど様々なデータベースを設置して、それを使用しながらＣＡＤ図面を作成する必要がある。従って、やはり様々なＣＡＤのソフトウェアを使用して作成されたＣＡＤ図面を汎用性高く利用することができないという課題があった。
【００１３】本発明はかかる従来の事情に対処してなされたものであり、様々なＣＡＤソフトウェアを使用して作成されたＣＡＤ図面に対して、図面に描画されている文字、数字、図形、形状などを解析して、それをデータ化して出力可能なＣＡＤ情報変換システムとその方法とそのプログラムを提供することを目的とする。
【００１４】
【課題を解決するための手段】
上記目的を達成するため、請求項１記載の発明であるＣＡＤ情報変換システムは、情報変換を行うＣＡＤ図面を読み出すＣＡＤ図面読み出し部と、このＣＡＤ図面読み出し部で読み出されたＣＡＤ図面に表示された部材リストに記載されている部材の材種とサイズとＣＡＤ図面中で使用されている部材の符号名を解析する部材リスト解析部と、材種とサイズと符号名とをデータ化して第１のデータベースに出力する部材マスタ情報作成部と、ＣＡＤ図面読み出し部で読み出されたＣＡＤ図面に表示されたＣＡＤ図形の中から任意の部材図形の符号を選択する部材図形選択部と、この部材図形選択部で選択された部材図形の符号に合致する部材図形を検索し配置を解析する部材図形解析部と、配置をデータ化して第２のデータベースに出力する配置データ情報部作成部を有するものである。
上記構成のＣＡＤ情報変換システムは、ＣＡＤ図面の描画を構成する部材の部材リストとＣＡＤ図形そのものを解析してデータ化して、データベースに出力する作用を有する。
【００１５】また、請求項２に記載の発明であるＣＡＤ情報変換システムは、請求項１に記載のＣＡＤ情報変換システムにおいて、部材リスト解析部が、部材リストの枠を検出する部材リスト枠検出部と、この枠の中に記載されている材種とサイズの文字を検出して材種とサイズを認識する材種−サイズ解析部と、部材リストの枠の中に記載されている部材の符号を検出して符号を認識する符号名解析部を有するものである。
上記構成のＣＡＤ情報変換システムにおいては、請求項１に記載の発明の作用に加えて、部材リスト枠検出部が部材リストに記載されている材種あるいはサイズを認識する前の段階で、リストの枠を予め検出しておく作用を有する。
【００１６】請求項３記載の発明であるＣＡＤ情報変換システムは、請求項１または請求項２に記載のＣＡＤ情報変換システムにおいて、部材図形解析部が、部材図形選択部で選択された部材図形の符号を第１のデータベース内で検索し合致した符号の部材サイズを選択された部材図形の部材サイズとして検出する部材サイズ検出部と、この部材サイズ検出部で検出された部材サイズを備える部材図形の部材線を検出する部材線検出部を有するものである。
上記構成のＣＡＤ情報変換システムにおいては、請求項１または請求項２に記載の発明の作用に加えて、部材サイズ検出部が、部材図形の符号を第１のデータベースにおいて検索してその符号に合致する部材図形の部材サイズを検出することで部材図形のサイズを解析し、その部材サイズを基に部材図形を描画している部材線を検出するという作用を有する。
【００１７】また、請求項４に記載の発明であるＣＡＤ情報変換方法は、請求項１に記載の発明を方法として捉えたものであり、その作用は請求項１に記載の発明と同様である。
【００１８】さらに、請求項５に記載の発明であるＣＡＤ情報変換プログラムは、請求項４に記載の発明をコンピュータによって実行するものであり、その作用は請求項４に記載の発明と同様である。
【００１９】
【発明の実施の形態】
以下に、本発明に係るＣＡＤ情報変換システムの実施の形態を図１乃至図１５に基づき説明する。（請求項１乃至請求項３に対応）
図１は本発明の実施の形態に係るＣＡＤ情報変換システムの構成図である。図１において、ＣＡＤ情報変換システム１は大きくＣＡＤ図面読み出し部４、部材マスタ作成部２及び配置データ作成部３から構成されている。さらに部材マスタ作成部２は、部材リスト選択部５、部材リスト解析部６、部材マスタ情報作成部７から構成され、配置データ作成部３は、部材図形選択部８、キープラン解析部９、部材図形解析部１０、配置データ情報作成部１１から構成されている。
【００２０】符号１３はＣＡＤ図面データベースを表しており、このＣＡＤ図面データベース１３には、例えば建造物の設計図などの様々なＣＡＤ図面１４が格納されている。あるいはコンピュータ中に備えられた、ＣＡＤ図面を一時的に格納するメモリと考えてもよい。設計の段階で作成されたＣＡＤ図面１４を次の施工工程において利用しようとする作業者は、入力部１８を介してＣＡＤ情報変換システム１を操作する。まず、ＣＡＤ図面読み出し部４を用いて、ＣＡＤ図面データベース１３の中に格納されたＣＡＤ図面１４を開く。作業者はＣＲＴ（ブラウン管）、液晶、プラズマなどのディスプレイ画面あるいはプリンターなどの出力部１９によってＣＡＤ図面１４やその中に表示される部材リストを確認することができる。
読み出されたＣＡＤ図面に表示された部材リストのうち、その内容の解析を行う部材リストを部材リスト選択部５によって選択する。選択は、例えば後で図５（ａ），（ｂ）を用いて説明するように、部材マスタの種類毎に設けられたコマンドボタン４６をクリックすることによって選択し、そしてディスプレイ画面内においてカーソルやポインタを当て、それからいわゆるクリックアンドドラッグを行う方法、あるいは、まず一点目をクリックし一度ボタンから指を離して再度二点目をクリックして一点目と二点目でできる矩形の範囲で範囲選択を行う方法などによって選択する。その後、選択された範囲に記載された部材リストを部材リスト解析部６によって解析する。この部材リスト解析部６における解析は、図２を用いて詳細に後述する。
なお、本実施の形態においては、図面上から部材リストの範囲を選択して解析を実施するように説明しているが、解析効率の向上などから部材リスト選択部５を設けることなく、部材リスト解析部６が読み出されたＣＡＤ図面に表示された部材リストのすべてを順次解析するようにしてもよいことは言うまでもない。
【００２１】解析を終えると、その解析結果に基づいて、部材マスタ情報作成部７でデータ化を行う。データ化された部材マスタ情報は単なるＣＡＤ図面中の文字としての部材種類や寸法ではなく、それぞれの文字や数字が意味する内容を認識することができるデータとして機能するものである。この部材マスタ情報作成部７で作成された部材マスタ情報は、部材マスタ情報作成部７によって工事別データベース１５に格納される部材マスタ１６に出力される。ＣＡＤ図面１４を解析した後に部材マスタ１６を作成するところに本実施の形態の特徴がある。
【００２２】次に、配置データ作成部３について説明する。まず、部材図形選択部８は、読み出されたＣＡＤ図面の中から解析を行う部材図形あるいは部材図形を表す符号を選択する。この選択もディスプレイ画面上でカーソルやポインタなどをマウスなどを用いて行えるようにしておく。あるいは、部材図形選択部８は個々の部材図形や部材図形を表す符号を選択するのではなく、図面内の所定範囲を選択、さらには図面全体を選択して、その範囲内に含まれる部材図形等を順に全数選択することが可能であれば作業が効率的となるため好ましい。
キープラン解析部９は、部材図形選択部８によって選択された図形の中からキープランを解析して取り込む。キープランとは、建造物などのレイアウトなどに縦と横あるいは斜めの「通り」を表す線で描画されるものである。まず、このキープランをはじめに把握しておけば、その後、柱、大梁あるいは小梁などの構造物の解析範囲を限定するためにこのキープランを用いることができるため、解析を容易に実行することが可能である。解析されたキープラン情報は、配置データ１７として格納される。
一方、選択された部材図形の符号は、先にキープラン解析部９によって配置データ１７に格納されたキープラン情報を検索しながら、部材図形解析部１０によってその内容が解析される。選択される符号に係る部材図形は、例えば柱、大梁、小梁などであり、解析する範囲を選択した場合あるいは図面全体を選択した場合には、その範囲に含まれる部材図形の符号は自動的に検索・選択され、そして配置が解析される。
その解析については図３を用いて詳細に後述する。解析が終了した部材図形に対しては、解析結果をベースに配置データ情報作成部１１によって配置データ１７が作成され工事別データベース１５に出力される。
【００２３】図２は、図１中に示された部材リスト解析部の内部を詳細に示す構成図である。図２において、部材リスト解析部６は部材リスト枠検出部２２と、材種−サイズ解析部２３、符号名解析部２４、及び位置解析部２５を備えるものである。部材リスト枠検出部２２は、選択された部材リストの枠を検出する機能を備えており、まず、枠を検出することによって、一定範囲のリストを認識することができる。枠を認識した後、材種−サイズ解析部２３によってその内部に表示されている材種略称とサイズの数字の羅列を認識する。その際には、材種−サイズ解析部２３は、共通データベース２０に格納されている材種マスタ２１にアクセスして、材種略称がどの材種を意味するのかについて参照、比較しながら認識する。詳細には図４乃至図７を用いて説明する。
さらに符号名解析部２４は、部材リストに記載されている部材を示す符号を認識し、位置解析部２５は位置を示す文字を認識する。位置を示す文字の認識などについても図４乃至図７を用いて後ほど具体的に説明する。
なお、本実施の形態においては、部材リスト枠検出部２２を備えるものを説明したが、部材リスト枠がない場合には、材種略称とサイズの数字の羅列は材種−サイズ解析部２３によって認識され、さらに、たとえ部材リスト枠検出部２２によって部材リスト枠を検出できない場合であっても材種−サイズ解析部２３によって材種略称とサイズの数字の羅列は認識され、それ以降の符号名解析部２４及び位置解析部２５における解析には何ら支障はない。すなわち、部材リスト枠検出部２２は符号名や、位置、材種略称とサイズの取り込み精度を向上させるものである。
【００２４】図３は、図１中に示された部材図形解析部１０の内部を詳細に示す構成図である。図３において、部材図形解析部１０は部材サイズ検出部３１と図形データ処理部３２と部材線検出部３３から構成される。部材サイズ検出部３１では、選択された部材図形の符号を認識しながら工事別データベース１５に格納されている部材マスタ１６を読み出し、部材図形の符号を端緒にその部材の材種とサイズを認識する。この部材図形解析部１０が作動する時点では、既に図１に示された部材マスタ情報作成部７によってＣＡＤ図面１４の部材リストに表示された部材に関する部材マスタ情報が作成されており部材マスタ１６に格納されているため、部材サイズ検出部３１は部材マスタ１６から部材の材種とサイズに関する情報を入手することができる。
【００２５】図形データ処理部３２は、常に使用されるものではなく、例えばコラム型の柱などのときにＣＡＤ図面に描画されている図形とサイズ上のデータとの整合が必要となった場合に調整を行うものである。コラム型の柱は、ＣＡＤ図面上では角を丸く表示しているものの、柱の図形を解析する際にはそのサイズに従って柱図形の直線部分の長さを測定するため、柱図形の４つの角を付加するような調整を行う必要がある。従って、角がないようなＨ型の柱の場合には、図形データ処理部３２は作動することなく、部材線検出部３３が機能することになる。具体的な説明は、図１２を用いてコラム型の柱の解析を説明する際に併せて行う。
部材線検出部３３は、必要な図形処理を行った後に部材の材種とサイズに合致する部材線を検出するものである。解析を行っている対象の部材の材種とサイズを把握しているため、それらの情報のすべてに合致する図形を検出することが可能である。
【００２６】次に図４乃至図８を用いて本実施の形態に係るＣＡＤ情報変換システムの部材マスタ情報の作成過程を説明する。
まず、図４を参照しながら部材リストの記載例を説明する。図４は、ＣＡＤ図面上に表示された部材リストの例である。図に示されるとおり、通常、タイプ１とされている部材リスト４１とタイプ２とされている部材リスト４２があり、タイプ１の部材リスト４１では部材の符号とサイズの欄が示されており、サイズの欄には材種も付記されている。ここでは、Ｈと記載されていることからＨ型の梁であることがわかる。タイプ２の部材リスト４２においては、階の表示もあり建物の階によって同じ符号を用いた同じ材種で同じサイズの部材が使用されることが示されている。もちろん、これ以外の場合、すなわち階毎に材種やサイズが異なる場合もある。
【００２７】図５（ａ），（ｂ）は、ともに本実施の形態に係るＣＡＤ情報変換システムを用いて出力部の画面に部材リストを表示した状態を示す概念図であるが、（ａ）は部材リスト解析部において解析を行う前の画面であり、（ｂ）は解析後の画面を示すものである。図５（ａ）において、画面４５の中央部には大梁の部材リスト４７が表示されている。図１に示されるＣＡＤ図面読み出し部４がまず、ＣＡＤ図面１４から部材リスト４７のようなリストを画面４５上に読み出し、そして部材リスト選択部５で、その部材リストの中から柱あるいは大梁のように部材毎に選択を行う。そして、部材リスト解析部６で選択された部材リスト４７を解析し、部材マスタ情報作成部７で部材マスタ情報を作成する。
画面４５の右側には部材マスタの取り込みを行うときに部材の種類を選択するコマンドボタン４６と、解析結果を表示する部材解析結果表示部４８が設けられている。このコマンドボタン４６の中から取り込みを行うマスタの種類のボタンをクリックし、図面上から部材リストの範囲を選択することで解析を実行する。
【００２８】図５（ｂ）は、その解析が終了し、部材マスタ情報が作成された状態を示すが、コマンドボタン４６の下部の部材解析結果表示部４８にそれぞれの部材の解析結果に基づく部材マスタ情報が一覧表として掲示されている。これによって、作業者は解析結果とＣＡＤ図面に表示されている部材リスト４７とチェックすることも可能であり、しかも部材リスト４７と同一の画面４５に同時に掲載することで解析が終了したことも確認可能となる。この状態において、解析範囲が誤っていたり、あるいは意図した解析が不十分であると判断された場合には、部材リスト４７を読み込む手順まで戻って、再度解析を行うことも可能である。
その解析結果に基づいて部材マスタ情報作成部７で作成された部材マスタ情報を確認した後は、データベース登録ボタン４９ａをクリックする。このような操作によって部材マスタ情報が部材マスタに出力され登録される。
【００２９】次に図６を用いて、部材リスト解析部で実行される部材リストの解析方法についてさらに詳細な説明を追加する。図６（ａ）はＣＡＤ図面中から抽出された大梁部材リストの概念図であり、（ｂ）は大梁部材リストに表示されている文字や数字を解析する過程を示す概念図、（ｃ），（ｄ）はそれぞれＣＡＤ図面から抽出された柱部材リストと小梁部材リストの概念図である。
図６（ａ）にも示されるとおり、部材リスト５１には枠５２が表示されており、その中にサイズ表示５３がなされているのが通常である。そこで、図２に示される部材リスト解析部６の部材リスト枠検出部２２は、まず枠５２を検出し、その後その枠５２内のサイズ表示５３を検出して材種−サイズ解析部２３において解析する。その際には、図２を参照しながら説明したとおり、共通データベース２０に格納された材種マスタ２１を使用しながら解析を行う。この材種マスタ２１の具体例を図７に示す。図７の示される材種マスタでは、材種名と材種略称、形状などが一覧に登録されており、この表を検索することで、材種−サイズ解析部２３で検出された材種の略称が意味する材種や形状を認識することができる。
【００３０】さらに、図６（ｂ）に示されるように、符号枠５４や位置枠５５に表示されているＧ１という符号あるいは両端部あるいは中央部という位置を示す文字を検出して解析する。この符号枠５４に表示される符号は、図２に示される符号名解析部２４で検出され、位置枠５５に表示される位置は、位置解析部２５において検索される。
符号Ｄで示されるハッチング部分は、本実施の形態に係るＣＡＤ情報変換システムの符号名解析部あるいは位置解析部によって解析するためにサーベイされている範囲を模式的に示すものである。このような範囲をサーベイしながら符号や位置を検出してその文字や数字を解析して認識するのである。
【００３１】ここで、この位置を示す文字について説明を追加する。建造物を構成する部材の中で、大梁は１つの部材で左右異なる部材を使用する場合があり、その場合には中央部にはあるサイズの部材を使用し、両端部には中央部の部材のサイズとは異なるサイズの部材を使用するというような状態となる。このような状態を部材リスト内で表現するために通常位置を示す文字が使用されており、その位置を示す文字がＣＡＤ図面中の部材リストにも表示されている。
【００３２】図６（ｃ）及び（ｄ）に示されるように大梁の部材リストの他、柱部材リスト５６や小梁部材リスト５７などもＣＡＤ図面上には掲載されているので、それぞれのリストについても同様に解析を実施する。
解析によって認識された文字や数字などの部材マスタ情報はデジタルデータとして図１に示される部材マスタ情報作成部７によって作成され工事別データベース１５に格納された部材マスタ１６に登録される。
このようにしてＣＡＤ図面上に表示された文字や数字などの情報をさらに別の工程に使用するためのデータとして登録することが可能となる。
【００３３】図８は登録された大梁の部材マスタの内容を示す概念図である。図８に示されるとおり、部材名、材種、サイズ、材質あるいは継手などの表示が一覧できるように構成されている。
【００３４】次に、図９乃至１５を参照しながら本実施の形態に係るＣＡＤ情報変換システムによる配置データの作成過程について説明する。図９は、ＣＡＤ図面の一部を示すものであり、キープランが描かれている図面である。このキープランには、その下部と左部にキープランマーク６０ａ，６０ｂ，６０ｃ，６０ｄが表示されており、その中には通り名称６１ａ，６１ｂ，６１ｃ，６１ｄが示されている。
図１に示した配置データ作成部３のキープラン解析部９では、このようなキープランに示されるキープランマーク６０ａ，６０ｂ，６０ｃ，６０ｄが示す通りの名称「１」，「２」，「Ａ」，「Ｂ」や通りの間の距離「５２００」，「５６００」，「４１００」などの情報を解析して配置データ１７に格納する。
【００３５】図９において、キープラン解析部９がキープランマーク６０ａを検索して認識した場合には、このキープランマーク６０ａの中心に向かっている線を検索していく。複数ある場合には、通りの長さに近い線を優先して取得するようにしておく。
キープラン解析部９によるキープランの解析には、代表的なものとして２通りある。その１つは「線分取り込み」と呼ばれるもので、作業者がこの線とこの線は通りを示しているというように作業者が線を１本１本選択することによってキープランを解析するモードである。もう１つは、「寸法文字取り込み」と呼ばれるもので、作業者がこの寸法とこの寸法は通りと通りの間隔を示しているというように作業者が寸法の文字を１個１個選択することによってキープランを解析するモードである。このように２つの異なるモードを用意することで、図面の状況に応じて作業者がより好ましいモードを選択可能としている。
なお、キープランの解析を行う時に線分取り込みを使用して行った場合は、ＣＡＤ図面上に表現されるその線の種類（線種、線幅、色）と同じ線を優先して取得する。
【００３６】図９では、例えば「１」で示される通りのキープランマーク６０ａの中心に向かっている線を検索していくと、符号Ｌ１で示す長さの「１」通り候補線６５と符号Ｌ２で示す長さの「１」通り候補線６６が検索できる。そして通り候補線６５と通り候補線６６を比較すると、通り候補線６５が通り候補線６６より「１」通りの長さに近いことから、通り候補線６５がキープランを示す線であることが判定でき、キープランマーク６０ａと合わせて「１」という通りのキープランデータを認識することができる。図９においては、キープランマーク６０ｃとキープランマーク６０ｄの間をＬ１としているが、もちろん水平方向の通りが「Ａ」，「Ｂ」のみならず、例えば「Ｅ」通りまで存在するならば、「Ａ」通りから「Ｅ」通りまでの長さが「１」通りの長さとなり、それをＬ１として通り候補線６６のＬ２と比較を行うことになる。
このように予めキープラン情報を解析しておくことによって、梁や柱などの部材の解析が容易となる。
例えば、構造物６２は、キープランマーク６０ａが示す「１」という通り名称６１ａの通りに位置し、構造物６３はキープランマーク６０ｃが示す「Ａ」という通り名称６１ｃの通りに位置している。そして、Ｈ型柱６４は、これらの「１」通りと「Ａ」通りのキープラン交点の近くに存在していると解析されるのである。
このＨ型柱６４は、Ｃ６という柱符号６７で管理されるものであり、キープランマーク６０ａが示す「１」という通りから符号Ｌ３で示される距離、すなわち２００ｍｍ、そしてキープランマーク６０ｃが示す「Ａ」という通りから符号Ｌ４で示される距離、すなわち１００ｍｍほど離れた位置に存在している。このような柱の配置のデータは図１０乃至図１５を参照しながら後述するような手段で作成される。
【００３７】図１０（ａ）乃至（ｅ）は図９の一部を拡大してＣＡＤ図面に表示されたＨ型の柱を解析する際の手順を説明するための概念図である。
この状態においては、すでにＣＡＤ図面読み出し部４によって、図９に示されるキープランマーク６０ａ，６０ｂ，６０ｃ，６０ｄや構造物６２，６３さらにＨ型柱６４などの表示がなされたＣＡＤ図面が読み出されており、部材図形選択部８によって読み出されたＣＡＤ図面から解析する部材図形として（Ｃ６）というＨ型柱６４が選択されている。
【００３８】図１０（ａ）において、（Ｃ６）という柱符号６７と共に表示されるＨ型柱６４は、構造物６２と構造物６３の間に挟まれた状態で存在している。このＣ６というＨ型柱６４を、図１に示す部材図形選択部８で選択した後、キープラン解析部９でキープランを検索し、部材図形解析部１０で解析する場合の手順について説明する。
柱符号Ｃ６のＨ型柱６４は、前述のとおり予め図１に示される部材マスタ１６に材種、サイズとしてＨ−３００×３５０×６．５×９で取り込まれているため、まず、部材図形解析部１０は、先に図３を用いて説明したとおり、部材サイズ検出部３１を用いて、すでに工事別データベース１５に格納された部材マスタ１６にアクセスし、そこに登録されている部材マスタ情報を符号Ｃ６で検索することによって抽出する。
【００３９】材種とサイズの部材マスタ情報を抽出して認識した後に、これらの情報をベースに図３を参照して説明した部材線検出部３３を用いて、図１０（ｂ）で示されるように第１線６８を検索する。この第１線６８が検索されると、図１０（ｃ）に示すとおりサイズ情報からこの線から３００ｍｍ離れた場所に存在すべき３５０ｍｍの長さを有する第２線６９を検索することができる。ここまでで、第１線６８と第２線６９が認識されることにより柱の存在や位置は認識される。最後にこの柱がＨ型であることを確認する程度に第３線７０を検索してみる。手順は、図１０（ｄ）に示すとおり、符号Ｅで示されるハッチングの部分にウェブを示す線がないかをサーベイする。そのサーベイによって、図１０（ｅ）に示されるように第３線７０が発見することができる。このようにしてＣＡＤ図面に記載されているＨ型柱６４を解析していく。
【００４０】このように解析する際には、先に図９を参照して説明したとおり予めキープランの解析が終了しておけば、部材図形解析部１０で「Ｃ６」という柱符号６７に該当するＨ型柱を解析する場合に、まず、キープラン解析部９を用いて「Ｃ６」という文字に近いキープラン交点を検索し、そのキープラン交点をベースに領域を指定して解析することができる。
【００４１】これについて、図９を簡略化した図１１を用いて説明する。図１１において、キープランマーク６０ａ，６０ｂ，６０ｃ，６０ｄ，６０ｅ，６０ｆは、それぞれの通りを示しており、今、柱符号Ｃ６という文字に近いキープラン交点を検索すると、図中符号２Ｂで示される交点が得られる。この「２」と「Ｂ」は、もちろんキープランマーク６０ｂ，６０ｄで示される通りの交点を示すものである。このような情報は先にキープラン解析部９を用いたキープラン情報の解析によって配置データ１７に格納されているものである。この交点が得られた場合には、「Ｃ６」というＨ型柱はその前の通りとの中間と次の通りとの中間を結んで形成される矩形７１で囲まれる範囲にあると推測が可能となる。そこで、この範囲内を優先的にサーベイすることによって「Ｃ６」という柱符号６７で表現されるＨ型柱を効率的に解析することができる。
従って、キープランを先に解析しておき配置データとして格納しておくことでより高精度で迅速な検索を実現することができる。
【００４２】次に図１２を参照しながら本実施の形態に係るＣＡＤ情報変換システムを用いたコラム型柱の解析手順を説明する。図１２（ａ）乃至（ｅ）はＣＡＤ図面に表示されたコラム型の柱を解析する際の手順を説明するための概念図である。
図１２（ａ）において、Ｃ１という柱符号７４と共に表示されるコラム型柱７５ａは、構造物７２と構造物７３の間に挟まれた状態で存在している。このＣ１というコラム型柱７５ａを部材図形解析部で解析する場合の手順について説明する。
柱符号Ｃ１のコラム型柱７５ａは、Ｈ型柱と同様に部材マスタに材種、サイズとして口−３００×３５０×６．５で取り込まれているため、まず、部材図形解析部が、部材サイズ検出部を用いて部材マスタにアクセスし、そこに登録されている部材マスタ情報を符号Ｃ１で検索することによって抽出する。
材種とサイズの部材マスタ情報を抽出して認識した後に、コラム型の柱では、ＣＡＤ図面に角を取って表示されているため、図１２（ｂ）に示されるような処理を行う。この処理は、先に図３を用いて説明した図形データ処理部３２を用いて行う。コラム型柱７５ａの角を再生するように処理中コラム型柱７５ｂでは、各面に沿って線分を出し、その線分の交点を用いて新たな処理後コラム型柱７５ｃを作成して、これを図１２（ｃ）に示されるようにコラム型柱７５ａの変わりに配置する。
【００４３】この状態にしておいて、部材マスタ情報をベースに、図３の部材線検出部３３を用いて、図１２（ｄ）で示されるように第１線７６及び第２線７７を検索する。その際、部材マスタ情報によって、そのサイズとしてウェブ幅が３００ｍｍであって、フランジ幅が３５０ｍｍであると認識されているため、それぞれ容易に第１線７６と第２線７７を検索することができる。その後、図１２（ｅ）に示されるとおり、第１線７６と第２線７７の端部に連結されている線を検索すればよいので、第３線７８と第４線７９を容易に発見できる。以上からコラム型柱７５ａが解析され認識されることになる。
【００４４】さらに、図１３及び図１４を用いて本実施の形態に係るＣＡＤ情報変換システムを用いた大梁の解析手順を説明する。図１３（ａ）乃至（ｅ）及び図１４（ａ）乃至（ｃ）は、ＣＡＤ図面に表示された大梁を解析する際の手順を説明するための概念図である。
【００４５】図１３（ａ）において、２Ｇ１という梁符号８０と共に表示される大梁８１がほぼ中央部に配置されている。この２Ｇ１という大梁８１を部材図形解析部で解析する場合の手順について説明する。
この大梁８１も、Ｈ型柱やコラム型柱と同様に部材マスタに材種、サイズとして例えばＨ−３００×１５０×６．５×９で取り込まれているため、まず、部材図形解析部が、部材サイズ検出部を用いて部材マスタにアクセスし、そこに登録されている部材マスタ情報を符号２Ｇ１で検索することによって抽出する。
また、梁の場合、その梁の符号名が記載されている角度と同じ角度に配置されているため、この符号名の角度を端緒として部材線検出部において検索を行う。例えば、図１３（ｂ）では、大梁８１を示す梁符号８０は水平方向に記載されているため梁符号８０の配置角度は０°と考えられ、大梁８１の検索は材種、サイズの他、この０°という角度を参照しながら第１線８２を検索する。第１線８２が発見されると、図１３（ｃ）に示されるように、この第１線８２と平行に配置されている同一長さの線がないかをサーベイし、第２線８３を発見することができる。もちろん、この際には、部材マスタに登録されているサイズ以外の場合でも図１に示した入力部を介して設定することで、様々な条件で検索することが可能である。
【００４６】図１３（ｄ）は、それぞれ第１線８２と第２線８３を発見した後に、これらの線と垂直な部材線である第３線８４を発見した状態を示している。この第３線８４を発見した後に、この第３線８４の近傍に平行で同一長さの線がないかを検索すると、図１３（ｅ）に示すとおり、第３線８４に対向するように第４線８５が発見される。
【００４７】この第４線８５を発見した後、第４線８５の始終点に連結している第５線８６ａ，８６ｂを検索して発見することで、図１４（ａ）に示されるとおり、２Ｇ１の大梁に連結されるブラケット８７であることが認識できる。もちろん、大梁８１には必ずしもブラケット８７が存在するとは限らないものの、第４線８５が検索でき、それに連結する第５線８６ａ，８６ｂが検索できた時点でこの図形がブラケットであろうと認識するものである。
【００４８】図１４（ａ）に示された大梁８１の梁符号８０は、中央部材上に記載されていたものの、例えば、図１４（ｂ）に示すように梁符号８０がブラケット図形の上部、すなわち大梁８１の中央部材から外れた箇所に表示されていた場合を考慮して、矢印８８ａ，８８ｂで示すようにブラケット図形の検索を２回実施している。このように検索を２回行うことによって、たとえ中央部材から外れた箇所を最初に解析してそれがブラケットであっても、次に中央部材、そして２回目の検索で中央部材を挟んでもう一方のブラケットも解析することができるのである。
【００４９】さらに、図１４（ａ），（ｂ）ではブラケットの図形が大梁の図形とは別個に記載されていたものの、ＣＡＤ図面によっては、図１４（ｃ）に示すようにただ、線のみを記載して区別しているものもある。その際には、例えば大梁８１の第１線８２と第２線８３に垂直な第６線８９ａ，８９ｂを検索することでブラケットを発見している。
【００５０】最後に図１５を参照して、本実施の形態に係るＣＡＤ情報変換システムを用いた小梁の解析手順を説明する。図１５（ａ）乃至（ｅ）は、ＣＡＤ図面に表示された小梁を解析する際の手順を説明するための概念図である。
図１５（ａ）において、２Ｂ３という梁符号９０で表示される小梁９１がほぼ中央部に垂直に配置されている。この２Ｂ３という小梁９１を部材図形解析部で解析する場合の手順について説明する。
この小梁９１も、大梁と同様に部材マスタに材種、サイズとして例えばＨ−１５０×１００×６．５×９で取り込まれているため、まず、部材図形解析部が、部材サイズ検出部を用いて部材マスタにアクセスし、そこに登録されている部材マスタ情報を符号２Ｂ３で検索することによって抽出する。
【００５１】また、この小梁９１の梁符号９０の場合、垂直方向に記載されているため、小梁９１の配置角度は９０°と考えられ、９０°という角度、材種、サイズから図１５（ｂ）に示されるように第１線９２を検索することができる。第１線９２が発見されると、図１５（ｃ）に示されるように、この第１線９２と平行に配置されており、しかもウェブ幅の１５０ｍｍあるいはフランジ幅の１００ｍｍほど距離の離れた同一長さの線がないかを検索し、第２線９３を発見することができる。
第１線９２と第２線９３を発見することができれば、これらの線が梁の図形を表していることが認識されるため、これらの２つの線を結ぶ線がないかと検索する。これによって、図１５（ｄ）に示されるような第３線９４と第４線９５が発見されることになり、結局第１線９２乃至第４線９５が２Ｂ３という梁符号９０の小梁であることが認識される。
【００５２】ここで、第１線９２と第２線９３の存在を認識した段階で、第３線９４と第４線９５を検索することなく小梁９１を認識することも可能であるが、これら第３線９４と第４線９５を認識し検索済みの線を未検索の線とは区別可能にしておき、後の検索範囲から排除することで後の検索をより高精度で迅速なものとすることができる。
【００５３】以上説明したとおり、本実施の形態に係るＣＡＤ情報変換システムにおいては、ＣＡＤ図面に描画された文字や図形に関する情報の処理を、人間が画面あるいは紙に出力されたものを見ながら手入力する必要がなく、ＣＡＤ図面に描かれている情報をそのままデータとして、上流側の設計図面等から下流側の施工図等へ利用することができる。すなわち、様々なＣＡＤソフトウェアを使用して作成されたＣＡＤ図面上の文字や図形を、一般的な符号や略字を一覧として作成される汎用の材種マスタを参照・照合しながら検索して、図面に描画されている文字、数字、図形、形状などを解析し、それをデータ化して検索しているＣＡＤ図面を使用している工程よりもさらに下流側の施工工程のために用いる工事別データベースの部材マスタや配置データとして出力することができる。よって、ＣＡＤ図面に描かれている建造物などのオブジェクトあるいは工事毎に使用される部材の材種やサイズなどを作業者が手作業で入力しながらデータベースに登録する必要もなく、高い精度と効率で工事別のデータベースを作成することができる。
なお、本実施の形態においては、入力部１８及び出力部１９をＣＡＤ情報変換システム１から外した構成としているものの、これを加えた構成としてＣＡＤ情報変換システム１としてもよいのは言うまでもない。
【００５４】次に、図１６乃至図１８を参照しながら、本発明の実施の形態に係るＣＡＤ情報変換方法及びそのプログラムについて説明する。（特に、請求項４及び請求項５に対応）
図１６は、本実施の形態に係るＣＡＤ情報変換方法の工程を示す概念図である。図１６において、ＣＡＤ情報変換方法９７は、大きく分けるとＣＡＤ図面選択工程Ｓ１、キープラン取込工程Ｓ２、階高取込工程Ｓ３、部材マスタ作成工程Ｓ４及び配置データ作成工程Ｓ５の５つの工程から構成され、さらに部材マスタ作成工程Ｓ４は、部材リスト選択工程Ｓ４１、部材リスト解析工程Ｓ４２、部材マスタ情報作成工程Ｓ４３から構成される。また、配置データ作成工程Ｓ５は、部材図形選択工程Ｓ５１、キープラン検索工程Ｓ５２、部材図形解析工程Ｓ５３、配置データ情報作成工程Ｓ５４から構成される。
【００５５】本実施の形態は、先に図１乃至図１５を用いて説明したＣＡＤ情報変換システムの実施の形態を方法発明の実施の形態として捉えたものであり、大部分はＣＡＤ情報変換システムを構成する各要素における機能を方法の工程として捉えて記載しているものである。従って、先のＣＡＤ情報変換システムの実施の形態の説明において既に説明し、本実施の形態においても同様の説明となると考えられる構成部分については省略する場合もある。
【００５６】本実施の形態においては、ＣＡＤ図面選択工程Ｓ１において、ＣＡＤ図面データベース１３の中に格納されたＣＡＤ図面１４を読み出して開き、そのＣＡＤ図面１４に含まれるキープランをキープラン取込工程Ｓ２において取り込む。取り込まれたキープラン情報は配置データ１７に格納される。その後、階高取込工程Ｓ３において、ＣＡＤ図面１４に示される階高ライン・寸法文字等を指定して階高を取り込む。
さらに、読み出されたＣＡＤ図面に表示された部材リストのうち、その内容の解析を行う部材リストを部材リスト選択工程Ｓ４１において選択し、その次の部材リスト解析工程Ｓ４２において選択された部材リストの解析を行う。但し、部材リスト選択工程Ｓ４１を設けることなく、部材リスト解析工程Ｓ４２においてＣＡＤ図面に表示された全ての部材リストを順次解析するようにしてもよい。
【００５７】ここで、図１７を参照しながら、部材リスト解析工程Ｓ４２を説明する。図１７は、部材リスト解析工程Ｓ４２を分解して示す詳細な工程の概念図である。この部材リスト解析工程Ｓ４２は、部材リスト枠検出工程Ｓ４２１、材種−サイズ解析工程Ｓ４２２、符号名解析工程Ｓ４２３、位置解析工程Ｓ４２４に分解できる。部材リスト枠検出工程Ｓ４２１は、選択された部材リストの枠を検出する工程であり、枠を認識した後、材種−サイズ解析工程Ｓ４２２では、その内部に表示されている材種略称とサイズの数字の羅列を認識する。その際には、共通データベース２０に格納されている材種マスタ２１にアクセスして、材種略称がどの材種を意味するのかについて参照、比較しながら認識する。但し、部材リスト枠検出工程Ｓ４２１は必須の工程ではなく、ＣＡＤ図面に部材リスト枠がない場合や部材リスト枠が認識できない場合であっても、材種略称とサイズの数字の羅列は材種−サイズ解析工程Ｓ４２２において認識され、それ以降の工程には支障はない。
【００５８】符号名解析工程Ｓ４２３は、部材リストに記載されている部材を示す符号を認識し、位置解析工程Ｓ４２４は大梁など位置を示す文字を備える部材リストにおいて位置を認識する工程である。
【００５９】図１６に戻って、部材リスト解析工程Ｓ４２で解析を終えると、その解析結果に基づいて、部材マスタ情報作成工程Ｓ４３でデータ化を行い、データ化された部材マスタ情報は工事別データベース１５に格納される部材マスタ１６に出力される。
【００６０】次に、部材図形選択工程Ｓ５１は、開いたＣＡＤ図面１４の中のＣＡＤ図形の中から任意の部材図形を選択する工程である。この工程における部材図形の選択は、個々の部材図形を選択してもよいし、開いたＣＡＤ図面の中から範囲を指定したり、あるいはＣＡＤ図面全体を指定したりしてその指定した範囲に存在する部材図形を自動的に選択するようにしてもよい。
選択された部材図形は、部材図形解析工程Ｓ５３によってその内容が解析されるが、その前のキープラン検索工程Ｓ５２において、キープラン取込工程Ｓ２で取り込まれたキープラン情報が検索される。その部材図形解析工程Ｓ５３については、図１８を用いて説明する。解析が終了すると、配置データ情報作成工程Ｓ５４によって配置データ情報として調整され工事別データベース１５に配置データ１７として出力され格納される。
【００６１】図１８は、部材図形解析工程を分解して示す詳細な工程の概念図である。図１８において、部材図形解析工程Ｓ５３は、部材サイズ検出工程Ｓ５３１、図形データ処理工程Ｓ５３２、部材線検出工程Ｓ５３３から構成される。
部材サイズ検出工程Ｓ５３１では、選択された部材図形の符号を認識しながら工事別データベース１５に格納されている部材マスタ１６を読み出し、部材図形の符号を端緒にその部材の材種とサイズを認識する。この部材図形解析工程Ｓ５３が実行される時点では、既に図１６に示された部材マスタ情報作成工程Ｓ４３によって部材マスタ情報が作成されており部材マスタ１６に格納されているため、部材サイズ検出工程Ｓ５３１では、部材マスタ１６から部材の材種とサイズに関する情報を入手することができる。
【００６２】図形データ処理工程Ｓ５３２は、常に実行されるものではなく、例えばコラム型の柱などのときにＣＡＤ図面に描画されている図形とサイズ上のデータとの整合が必要となった場合に調整を行うための工程である。
部材線検出工程Ｓ５３３は、必要な図形処理を行った後に部材の材種とサイズに合致する部材線を検出する工程である。
【００６３】このように構成される本実施の形態に係るＣＡＤ情報変換方法においても、ＣＡＤ情報変換システムの実施の形態と同様の効果を得ることができる。
【００６４】また、本発明の実施の形態に係るＣＡＤ情報変換プログラムは、図１６乃至図１８を用いて説明した工程の内容をコンピュータにおいてそのまま実行させるものである。
すなわち、作業者は、入力部１８からコンピュータ９８にアクセスして、このコンピュータ９８に格納されたプログラムを起動し、ＣＡＤ図面選択工程Ｓ１、キープラン取込工程Ｓ２、階高取込工程Ｓ３、部材マスタ作成工程Ｓ４及び配置データ作成工程Ｓ５を、ＣＡＤ図面データベース１３に格納されたＣＡＤ図面１４を読み出して実行するものである。その際、部材マスタ作成工程Ｓ４と配置データ作成工程Ｓ５は、詳細な工程として部材リスト読み出し工程Ｓ４１乃至配置データ情報作成工程Ｓ５４に分解できるのは先のＣＡＤ情報変換システム方法の説明時に述べたとおりである。さらに、部材リスト解析工程Ｓ４２と部材図形解析工程Ｓ５３にも分解できる工程があることも同様である。
【００６５】このプログラムを実行するに際しては、ＣＡＤ図面選択工程Ｓ１では、ＣＡＤ図面１４が格納されたＣＡＤ図面データベース１３にアクセスしてＣＡＤ図面１４を読み出して、出力部１９に表示させる。そして、キープラン取込工程Ｓ２において、ＣＡＤ図面１４に表示されるキープランを解析してキープラン情報を工事別データベース１５内の配置データ１７に格納する。
このキープラン取込工程Ｓ２におけるキープランの解析とは、図９を用いて説明したＣＡＤ情報変換システムの実施の形態と同様にキープランマーク６０ａ，６０ｂ，６０ｃ，６０ｄが示す通り名称「１」、「２」、「Ａ」、「Ｂ」や通り間の距離などの情報を解析するものである。なお、本ＣＡＤ情報変換プログラムの実施の形態においても、第００３５欄及び第００３６欄で説明したとおり、「線分取り込み」あるいは「寸法文字取り込み」という２つのモードをキープラン取込工程Ｓ２では備えている。これらのモードの選択は、作業者が入力部１８を介して予め選択することが可能である。そのモードの選択のための表示は出力部１９にて行われる。
【００６６】さらに階高取込工程Ｓ３では、読み出されたＣＡＤ図面１４から階高を取り込み、その階高情報を同様に工事別データベース１５内の配置データ１７に格納する。
部材マスタ作成工程Ｓ４は、ＣＡＤ情報変換方法の実施の形態で説明したとおり部材リスト選択工程Ｓ４１、部材リスト解析工程Ｓ４２、部材マスタ情報作成工程Ｓ４３の工程に分解することができる。部材リスト選択工程Ｓ４１では、ＣＡＤ図面１４上に表示された部材リストを入力部１８から選択する。その際には、ＣＡＤ情報変換システムの実施の形態の説明時に用いた図５（ａ），（ｂ）に示されるような画面４５を出力部１９に表示して部材リスト４７の選択を容易にし、画面４５右側には、コマンドボタン４６や解析結果を表示する部材解析結果表示部４８を備えるようにする。但し、部材リスト選択工程Ｓ４１を設けることなく、部材リスト解析工程Ｓ４２においてＣＡＤ図面に表示された全ての部材リストを順次解析するようにしてもよい。その際には、部材の種類毎にコマンドボタン４６を設けるのではなく１つのみ設けるなどするとよい。
【００６７】そして、部材リスト解析工程Ｓ４２で解析を行う。この部材リスト解析工程Ｓ４２における解析は、この画面４５に表示されるコマンドボタン４６をクリックし、図面上から部材リストの範囲を選択することで開始される。この部材リスト解析工程Ｓ４２は、細かくは部材リスト枠検出工程Ｓ４２１、材種−サイズ解析工程Ｓ４２２、符号名解析工程Ｓ４２３、位置解析工程Ｓ４２４に分解できる。部材リスト枠検出工程Ｓ４２１では、すでに説明したとおり、図６（ａ）に示されるような枠５２を検出し、その後、材種−サイズ解析工程Ｓ４２２で材種やサイズを解析する。なお、部材リスト枠検出工程Ｓ４２１が必須ではないことは先に説明したとおりである。
さらに、符号名解析工程Ｓ４２３と位置解析工程Ｓ４２４で図６（ｂ）に符号Ｄで示されるような範囲をサーベイして符号枠５４に記載される符号や位置枠５５に記載される位置を示す文字を解析する。材種−サイズ解析工程Ｓ４２２では、図１７に示されるとおり、共通データベース２０内に格納され図７に例示されるような材種マスタ２１にアクセスし、これを検索して必要な情報を読み出し参照しながら、材種やサイズを解析する。なお、この解析の具体例は、先に図４乃至図８を用いて説明したとおりである。
部材マスタ情報作成工程Ｓ４３では、解析された結果に基づいて部材マスタ情報としてデータ化を行い、工事別データベース１５に出力して格納する。
【００６８】配置データ作成工程Ｓ５は、ＣＡＤ情報変換方法の実施の形態で説明したとおり、部材図形選択工程Ｓ５１〜配置データ情報作成工程Ｓ５４に分解することができる。部材図形選択工程Ｓ５１では、ＣＡＤ図面１４上に表示されたＣＡＤ図形の中から任意の部材図形について、その部材図形を表す符号を入力部１８から選択する。もちろん、個々の部材図形を表す符号ではなく、図面内の所定の範囲を選択あるいは図面全体を選択して、その範囲に含まれる部材図形を表す符号を順に全数選択することが可能であれば作業が効率的となるため好ましい。この部材図形の選択方法についても、入力部１８から選択できるように出力部１９を介して表示させるとよい。その後、キープラン検索工程Ｓ５２で、予めキープラン取込工程Ｓ２で配置データ１７として取り込まれたキープラン情報を工事別データベース１５から読み出して、選択された部材図形を表す符号の位置とキープラン情報を照合して、その符号が表す部材図形が存在すると思われる位置の大まかな確認を行う。この確認の手順については、既に第００４１欄で述べたとおりである。その後、部材図形解析工程Ｓ５３においてその部材図形を解析する。なお、部材図形選択工程Ｓ５１において、図面内の所定の範囲を選択あるいは図面全体を選択しながら自動的に順次部材図形を表す符号を選択する場合には、各々の部材図形に関してキープラン検索工程Ｓ５２及び部材図形解析工程Ｓ５３が実行される。
部材図形解析工程Ｓ５３は、ＣＡＤ情報変換方法の実施の形態の説明で既に説明したとおり、部材サイズ検出工程Ｓ５３１、図形データ処理工程Ｓ５３２、部材線検出工程Ｓ５３３から構成される。部材サイズ検出工程Ｓ５３１では、部材図形の符号を認識し、工事別データベース１５に格納された部材マスタ１６を読み出して、その符号を端緒に読み出した部材マスタ１６の内容と比較しながらその部材の材種とサイズを検索して認識する。また、図形データ処理工程Ｓ５３２は、ＣＡＤ情報変換方法の実施の形態において説明したものと同様で、第００６２欄に記載されるとおりである。また、ＣＡＤ情報変換システムの実施の形態の説明時に用いた図１２（ｂ）に示されるとおりである。部材線検出工程Ｓ５３３は、部材サイズ検出工程Ｓ５３１の後、あるいは図形データ処理工程Ｓ５３２において必要な処理を行った後に、検索され認識された部材の材種とサイズに合致する部材線を検出する工程である。この解析の手順については、図１０乃至図１５を用いて行ったＣＡＤ情報変換システムの実施の形態の説明と同様である。
部材図形の解析が終了すると配置データ情報作成工程Ｓ５４で配置データ情報が作成され工事別データベース１５に出力され格納される。
なお、読み出したり、入力したりする際に作業者は、出力部１９を用いて文字・数字あるいは図形・形状について確認することができるし、図７に示される材種マスタや図８に示される大梁マスタなども出力部１９を介して作業者が確認できるようになっている。
【００６９】このような本実施の形態に係るＣＡＤ情報変換プログラムにおいても、ＣＡＤ情報変換システムあるいは方法の実施の形態と同様の効果を奏することができる。
【００７０】
【発明の効果】
以上説明したように、本発明の請求項１乃至請求項３に記載のＣＡＤ情報変換システム、請求項４に記載のＣＡＤ情報変換方法、請求項５に記載のＣＡＤ情報変換プログラムにおいては、多種に亘る任意のＣＡＤソフトウェアを使用して作成されたＣＡＤ図面上の文字や図形を、一般的な符号や略字を一覧として作成される汎用の材種マスタを参照・照合しながら検索して、図面に描画されている文字、数字、図形、形状などを解析し、それをデータ化して検索しているＣＡＤ図面を使用している工程の次の工程のために用いる部材マスタデータと配置データとして出力することができる。よって、ＣＡＤ図面に描かれている建造物などの対象物あるいは工事毎に使用される部材の材種やサイズなどを作業者が手作業で入力しながらデータベースに登録する必要もなく、低労力、高精度、高効率で必要なデータベースを作成することができる。
【図面の簡単な説明】
【図１】本発明の実施の形態に係るＣＡＤ情報変換システムの構成図である。
【図２】本実施の形態に係るＣＡＤ情報変換システムの部材リスト解析部の内部を詳細に示す構成図である。
【図３】本実施の形態に係るＣＡＤ情報変換システムの部材図形解析部の内部を詳細に示す構成図である。
【図４】ＣＡＤ図面上に表示された部材リストの例である。
【図５】（ａ），（ｂ）ともに本実施の形態に係るＣＡＤ情報変換システムを用いて出力部の画面に部材リストを表示した状態を示す概念図である。
【図６】（ａ）はＣＡＤ図面中から抽出された大梁部材リストの概念図であり、（ｂ）は大梁部材リストに表示されている文字や数字を解析する過程を示す概念図、（ｃ），（ｄ）はそれぞれＣＡＤ図面から抽出された柱部材リストと小梁部材リストの概念図である。
【図７】本実施の形態に係るＣＡＤ情報変換システムに使用される材種マスタの具体例である。
【図８】本実施の形態において登録された大梁の部材マスタの内容を示す概念図である。
【図９】ＣＡＤ図面の一部を示すキープランの概念図である。
【図１０】（ａ）乃至（ｅ）は図９の一部を拡大してＣＡＤ図面に表示されたＨ型の柱を解析する際の手順を説明するための概念図である。
【図１１】図９に示したキープランを簡略化した図面である。
【図１２】（ａ）乃至（ｅ）はＣＡＤ図面に表示されたコラム型の柱を解析する際の手順を説明するための概念図である。
【図１３】（ａ）乃至（ｅ）は、ＣＡＤ図面に表示された大梁を解析する際の手順を説明するための概念図である。
【図１４】（ａ）乃至（ｃ）は、ＣＡＤ図面に表示された大梁を解析する際の手順を説明するための概念図である。
【図１５】（ａ）乃至（ｅ）は、ＣＡＤ図面に表示された小梁を解析する際の手順を説明するための概念図である。
【図１６】本実施の形態に係るＣＡＤ情報変換方法の工程を示す概念図である。
【図１７】本実施の形態に係るＣＡＤ情報変換方法の部材リスト解析工程を分解して示す詳細な工程の概念図である。
【図１８】本実施の形態に係るＣＡＤ情報変換方法の部材図形解析工程を分解して示す詳細な工程の概念図である。
【符号の説明】
１…ＣＡＤ情報変換システム  ２…部材マスタ作成部  ３…配置データ作成部４…ＣＡＤ図面読み出し部  ５…部材リスト選択部  ６…部材リスト解析部  ７…部材マスタ情報作成部  ８…部材図形選択部  ９…キープラン解析部  １０…部材図形解析部  １１…配置データ情報作成部  １３…ＣＡＤ図面データベース  １４…ＣＡＤ図面  １５…工事別データベース  １６…部材マスタ  １７…配置データ  １８…入力部  １９…出力部  ２０…共通データベース  ２１…材種マスタ  ２２…部材リスト枠検出部  ２３…材種−サイズ解析部  ２４…符号名解析部  ２５…位置解析部  ３１…部材サイズ検出部  ３２…図形データ処理部  ３３…部材線検出部  ４１…部材リスト  ４２…部材リスト  ４５…画面  ４６…コマンドボタン  ４７…部材リスト  ４８…部材解析結果表示部  ４９ａ…データベース登録ボタン  ４９ｂ…データベース登録取消ボタン  ５１…部材リスト  ５２…枠  ５３…サイズ表示  ５４…符号枠  ５５…位置枠  ５６…柱部材リスト  ５７…小梁部材リスト  ６０ａ〜６０ｆ…キープランマーク  ６１ａ〜６１ｄ…通り名称  ６２…構造物  ６３…構造物  ６４…Ｈ型柱  ６５…通り候補線  ６６…通り候補線  ６７…柱符号  ６８…第１線  ６９…第２線  ７０…第３線  ７１…矩形  ７２…構造物  ７３…構造物  ７４…柱符号  ７５ａ…コラム型柱  ７５ｂ…処理中コラム型柱  ７５ｃ…処理後コラム型柱  ７６…第１線  ７７…第２線  ７８…第３線  ７９…第４線  ８０…梁符号  ８１…大梁  ８２…第１線  ８３…第２線  ８４…第３線  ８５…第４線  ８６ａ，８６ｂ…第５線  ８７…ブラケット  ８８ａ，８８ｂ…矢印  ８９ａ，８９ｂ…第６線  ９０…梁符号  ９１…小梁  ９２…第１線  ９３…第２線  ９４…第３線  ９５…第４線  ９７…ＣＡＤ情報変換方法  ９８…コンピュータ
【図１】
2004185241.tif 000003
【図２】
2004185241.tif 000004
【図３】
2004185241.tif 000005
【図４】
2004185241.tif 000006
【図５】
2004185241.tif 000007
【図６】
2004185241.tif 000008
【図７】
2004185241.tif 000009
【図８】
2004185241.tif 000010
【図９】
2004185241.tif 000011
【図１０】
2004185241.tif 000012
【図１１】
2004185241.tif 000013
【図１２】
2004185241.tif 000014
【図１３】
2004185241.tif 000015
【図１４】
2004185241.tif 000016
【図１５】
2004185241.tif 000017
【図１６】
2004185241.tif 000018
【図１７】
2004185241.tif 000019
【図１８】
2004185241.tif 000020